(57)【要約】【課題】よりスイッチ操作をし易く操作性を向上させることが可能な押しボタン装置を提供する。【解決手段】押しボタン装置１は、押下方式により操作されるスイッチ６と、押し込み操作可能な押しボタン３と、押しボタン３が搭載される開口部１０を有した上ケース２ａと、押しボタン３が押し込まれることで撓んでスイッチ６を押下するレバー部材１２とを備え、押しボタン３は、その一側に上ケース２ａに引っ掛けられる爪部３ｃ，３ｄを有し、押しボタン３のうち爪部３ｃ，３ｄから所定方向に所定距離以上離れた箇所が押し込まれた場合に爪部３ｃ，３ｄを支点Ｆｕとして回動してスイッチ６を操作し、当該押しボタン３のうち爪部３ｃ，３ｄ上側が押し込まれた場合に爪部３ｃ，３ｄによる引っ掛けが解除されるように爪部３ｃ，３ｄごと押し込まれてスイッチ６を操作する支点可動構造となっている。【選択図】図７
2018092891.tif 000002
【特許請求の範囲】
【請求項１】
押下方式により操作されるスイッチと、押し込み操作可能な押しボタンと、前記押しボタンが搭載される開口部を有したカバー部材と、前記押しボタンが押し込まれることで撓んで前記スイッチを押下するレバー部材と、を備えた押しボタン装置であって、
前記押しボタンは、前記カバー部材に引っ掛けられる爪部を有し、当該押しボタンのうち前記爪部から所定方向に所定距離以上離れた箇所が押し込まれた場合に前記爪部を支点として回動して前記スイッチを操作し、当該押しボタンのうち前記爪部上が押し込まれた場合に前記爪部による引っ掛けが解除されるように前記爪部ごと押し込まれて前記スイッチを操作する支点可動構造となっている
ことを特徴とする押しボタン装置。
【請求項２】
前記押しボタンは、その一側に一列に並ぶ複数の爪部を有し、前記複数の爪部のうち特定の爪部上が押し込まれた場合に、複数の爪部のうち残りの爪部の少なくとも１つを支点とし、前記特定の爪部が回動するように押し込まれて前記スイッチを操作する
ことを特徴とする請求項１に記載の押しボタン装置。
【請求項３】
前記押しボタンは、対向して配置される複数の爪部を有し、前記複数の爪部のうち対向する一方側の爪部上が押し込まれた場合に、他方側の爪部を支点とし、前記一方側の爪部が回動するように押し込まれて前記スイッチを操作する
ことを特徴とする請求項１に記載の押しボタン装置。
【請求項４】
前記押しボタンは、その一端部に前記一方側の爪部を有し、前記一端部に対向する他端部に前記他方側の爪部を有する
ことを特徴とする請求項３に記載の押しボタン装置。
【発明の詳細な説明】
【技術分野】
【０００１】
本発明は、押しボタン装置に関する。
【背景技術】
【０００２】
従来、押しボタン装置を搭載したガス警報器が提案されている。この警報器における押しボタン装置は、押し込み操作が行われる押しボタンと、押しボタンを支持する第１レバーと、スイッチとを備え、第１レバーが警報器の上ケースに片持ち支持されている。この押しボタン装置では、スイッチが第１レバーの自由端側に配置されており、ユーザが押しボタンを押し込み操作すると、押しボタンからの押圧力で第１レバーの自由端が撓んでスイッチを押し、これによりスイッチがオン・オフされるように構成されている（特許文献１参照）。
【０００３】
しかしながら、上記押しボタン装置では、押しボタンにおける第１レバーの自由端側を押さないとスイッチがオンし難い場合があり、操作性の点で改善する余地が残されていた。
【０００４】
そこで、略長方形状の押しボタンと、押しボタンの中央側を支持する支持部材と、支持部材に対向して設けられたスイッチとを備えた押しボタン装置が提案されている（特許文献２参照）。
【先行技術文献】
【特許文献】
【０００５】
【特許文献１】特許第５２９５８９８号公報
【特許文献２】特開２０１４−１９４８４８号公報
【発明の概要】
【発明が解決しようとする課題】
【０００６】
ここで、特許文献２に記載の押しボタン装置は、同文献において押しボタンのどこを押してもスイッチを操作し易く操作性に優れると述べているが、いまだ改善の余地を残すものであった。
【０００７】
本発明はこのような従来の課題を解決するためになされたものであり、その発明の目的とするところは、よりスイッチ操作をし易く操作性を向上させることが可能な押しボタン装置を提供することにある。
【課題を解決するための手段】
【０００８】
本発明の押しボタン装置は、押下方式により操作されるスイッチと、押し込まれることにより前記スイッチを押下操作する押しボタンと、前記押しボタンが搭載される開口部を有したカバー部材と、前記押しボタンを前記スイッチの搭載側から支持するレバー部材と、を備えた押しボタン装置であって、前記押しボタンは、前記カバー部材に引っ掛けられる爪部を有し、当該押しボタンのうち前記爪部から所定方向に所定距離以上離れた箇所が押し込まれた場合に前記爪部を支点として回動して前記スイッチを操作し、当該押しボタンのうち前記爪部上が押し込まれた場合に前記爪部による引っ掛けが解除されるように前記爪部ごと押し込まれて前記スイッチを操作する支点可動構造となっていることを特徴とする。
【０００９】
この押しボタン装置によれば、押しボタンは、支点可動構造となっているため、爪部上及び爪部から所定方向に所定距離以上離れた箇所の双方において同様の操作性を得ることができる。また、双方において同様の操作性を得ることができることから、その中間部においても同様の操作性を得ることができる。よって、爪部上及び所定方向に所定距離以上離れた箇所まで連続して一定以上の操作性を得ることができ、よりスイッチ操作をし易く操作性を向上させることができる。
【００１０】
また、本発明の押しボタン装置において、前記押しボタンは、その一側に一列に並ぶ複数の爪部を有し、前記複数の爪部のうち特定の爪部上が押し込まれた場合に、複数の爪部のうち残りの爪部の少なくとも１つを支点とし、前記特定の爪部が回動するように押し込まれて前記スイッチを操作することが好ましい。
【００１１】
この押しボタン装置によれば、押しボタンは、その一側に一列に並ぶ複数の爪部を有し、特定の爪部上が押し込まれた場合に残りの爪部の少なくとも１つを支点とし特定の爪部が回動するように押し込まれてスイッチを操作する。このため、複数の爪部が並ぶ方向においても一定以上の操作性を得ることができ、より一層スイッチ操作をし易く操作性を向上させることができる。
【００１２】
また、本発明の押しボタン装置において、前記押しボタンは、対向して配置される複数の爪部を有し、前記複数の爪部のうち対向する一方側の爪部上が押し込まれた場合に、他方側の爪部を支点とし、前記一方側の爪部が回動するように押し込まれて前記スイッチを操作することが好ましい。
【００１３】
この押しボタン装置によれば、対向して配置される複数の爪部の一方側の爪部上が押し込まれると、他方側の爪部が支点となって一方側の爪部が回動するように押し込まれるため、対向配置される複数の爪部が並ぶ方向において一定以上の操作性を得ることができ、スイッチ操作をし易く操作性を向上させることができる。
【００１４】
また、本発明の押しボタン装置において、前記押しボタンは、その一端部に前記一方側の爪部を有し、前記一端部に対向する他端部に前記他方側の爪部を有することが好ましい。
【００１５】
この押しボタン装置によれば、押しボタンは、その一端部に一方側の爪部を有し他端部に他方側の爪部を有するため、例えば押しボタンの側壁の先端に爪部を設けるなど、押しボタンの真ん中付近から長尺の爪部を形成する必要がなく、構成の簡素化を図ることができる。
【発明の効果】
【００１６】
本発明によれば、よりスイッチ操作をし易く操作性を向上させることが可能な押しボタン装置を提供することができる。
【図面の簡単な説明】
【００１７】
【図１】本発明の第１実施形態に係る押しボタン装置を有するガス警報器の分解斜視図である。
【図２】図１に示した開口部の拡大正面図である。
【図３】図１に示した押しボタンの斜視図である。
【図４】図３に示した押しボタンを開口部に装着したときの断面図であり、図３に示した押しボタンのＡ−Ａラインに相当する断面を示している。
【図５】図３に示した押しボタンを開口部に装着したときの断面図であり、図３に示した押しボタンのＢ−Ｂラインに相当する断面を示している。
【図６】図３に示した押しボタンを開口部に装着したときの断面図であり、図３に示した押しボタンのＣ−Ｃラインに相当する断面を示している。
【図７】押しボタンの爪部の対向側を押し込んだときの様子を示す断面図である。
【図８】押しボタンの爪部側を押し込んだときの様子を示す断面図である。
【図９】図３に示した押しボタンとスイッチとの関係を模式的に示す概略図である。
【図１０】図３に示した押しボタンとスイッチとの関係を模式的に示す概略図であり、第１爪部付近が押下されたときの状態を示している。
【図１１】第２実施形態に係る押しボタン装置を含むガス警報器の正面図である。
【図１２】第２実施形態に係る開口部の拡大正面図であって、押しボタンを取り外したときの様子を示している。
【図１３】図１２に示したＤ−Ｄ断面図である。
【図１４】図１２に示したＥ−Ｅ断面図である。
【図１５】第２実施形態に係る押しボタンの爪部のうちの一方側の爪部上を押し込んだときの様子を示す断面図である。
【図１６】第２実施形態に係る押しボタンの爪部のうちの中間部を押し込んだときの様子を示す断面図である。
【図１７】第３実施形態に係る押しボタン装置を含むガス警報器の正面図である。
【図１８】第３実施形態に係る開口部の拡大正面図である。
【図１９】図１８に示したＦ−Ｆ断面図である。
【図２０】図１７に示した押しボタンの斜視図である。
【図２１】図１８に示したＧ−Ｇ断面図である。
【図２２】第３実施形態に係る押しボタンの爪部のうちの一方側の爪部上を押し込んだときの様子を示す断面図である。
【図２３】第３実施形態に係る押しボタンの爪部のうちの中間部を押し込んだときの様子を示す断面図である。
【発明を実施するための形態】
【００１８】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１９】
さらに、以下において押しボタン装置がガス警報器に適用される例を説明するが、これに限らず、押しボタン装置は火災警報器や人感警報器などの他の警報器に適用されてもよいし、警報器に限らず他の装置に適用されてもよい。
【００２０】
図１は、本発明の第１実施形態に係る押しボタン装置を有するガス警報器の分解斜視図である。図１に示すように、ガス警報器は、押しボタン装置１を有するものであって、上ケース（カバー部材）２ａ及び下ケース２ｂからなる筐体２と、筐体２内に収納される配線板ＷＢと、上ケース２ａに対して取り付けられる押しボタン３及び正面カバー４とを備えている。
【００２１】
配線板ＷＢには、押下方式により操作されるスイッチ６やＬＥＤ８の他、スピーカ（図示せず）やガスセンサ９が搭載されている。また、上ケース２ａのうちスイッチ６及びＬＥＤ８に対応する箇所には略二等辺三角形に開口する開口部１０が形成されており、この開口部１０に平面視して略二等辺三角形状の押しボタン３が嵌め込まれて搭載される構成となっている。
【００２２】
押しボタン３は配線板ＷＢ上のスイッチ６を操作するものであり、ユーザが押しボタン３を押し込むことでスイッチ６を押下操作することができる。特に、本実施形態に係る押しボタン３はＬＥＤ８からの光を拡散させるレンズ部材としての機能も備えている。
【００２３】
正面カバー４は上ケース２ａの下部において取り付けられる蓋部材である。ガス警報器は、正面カバー４が取り外されることにより外部出力等を行うための端子台が露出する構成となっている。
【００２４】
図２は、図１に示した開口部１０の拡大正面図である。なお、図２において破線は押しボタン３を示している。図２に示すように、開口部１０には、押しボタン３が押し込まれることで撓んでスイッチ６を押下するレバー部材１２と、第１及び第２引っ掛け部１４ａ，１４ｂとが形成されている。レバー部材１２は、上ケース２ａと一体に形成されて押しボタン３をスイッチ６の搭載側（ガス警報器における後方側）から支持するものである。
【００２５】
より詳細に説明すると、略二等辺三角形状の開口部１０には五角形状に開口する中板１６が形成されており、レバー部材１２は、五角形状の開口の１辺すなわちガス警報器の上辺側からガス警報器の下方向に延びる基部１２ａと、基部１２ａの先端から斜め方向（二等辺三角形状の開口部１０のうち長辺の延びる方向）に延びる先端部１２ｂとから構成されている。
【００２６】
スイッチ６は、レバー部材１２の先端部１２ｂよりもガス警報器の後方側（配線板ＷＢ側）に位置している。なお、ＬＥＤ８は、レバー部材１２の基部１２ａのうちガス警報器の左右方向にずれた位置にそれぞれ位置している。
【００２７】
第１及び第２引っ掛け部１４ａ，１４ｂは、中板１６のうち、略二等辺三角形状の開口部１０の鋭角部分にそれぞれ形成される開口である。第１及び第２引っ掛け部１４ａ，１４ｂは、二等辺三角形の長辺方向に延びる略長方形状の開口となっている。
【００２８】
図３は、図１に示した押しボタンの斜視図である。図３に示すように、押しボタン３は、略二等辺三角形状の天板３ａと、天板３ａから配線板ＷＢ側に延びる側壁３ｂと、略二等辺三角形状の長辺部分（一側の一例）における側壁３ｂの先端に設けられた２つの爪部（複数の爪部の一例）３ｃ，３ｄとを備えている。２つの爪部３ｃ，３ｄは同一辺に設けられることで一列に並んで設けられており、それぞれが偏平鉤型構造となっている。
【００２９】
２つの爪部３ｃ，３ｄは、図２に示した中板１６に形成される第１及び第２引っ掛け部１４ａ，１４ｂに嵌り込む構造となっている。押しボタン３は、鉤型となる２つの爪部３ｃ，３ｄが第１及び第２引っ掛け部１４ａ，１４ｂに嵌り込むことで上ケース２ａに引っ掛けられる。これにより、押しボタン３の開口部１０からの脱落が防止されるようになっている。
【００３０】
さらに、図３に一部破線で示すように、押しボタン３の天板３ａの裏面側のうち、二等辺三角形のやや長辺側には、配線板ＷＢ側に延びる棒状部材３ｅを有している。この棒状部材３ｅはレバー部材１２の先端部１２ｂのうち基部１２ａ側（具体的には図２の符号ＡＰの箇所）に接触するようになっている。
【００３１】
図４は、図３に示した押しボタン３を開口部１０に装着したときの断面図であり、図３に示した押しボタン３のＡ−Ａラインに相当する断面を示している。図４に示すように、押しボタン３はレバー部材１２に支持された状態（後述の図５にて図示する）において第１爪部３ｃが第１引っ掛け部１４ａに引っ掛かった状態となっている。また、この状態において側壁３ｂは中板１６に当接しておらず、空隙Ｖを有した状態となっている。
【００３２】
図５及び図６は、図３に示した押しボタン３を開口部１０に装着したときの断面図であり、図５は図３に示した押しボタン３のＢ−Ｂラインに相当する断面を示し、図６は図３に示した押しボタン３のＣ−Ｃラインに相当する断面を示している。
【００３３】
図５及び図６に示すように、押しボタン３の棒状部材３ｅはレバー部材１２に接触した状態で配線板ＷＢ側から支持されている。この状態において側壁３ｂは中板１６に当接しておらず空隙Ｖを有した状態となっている。
【００３４】
次に、本実施形態に係る押しボタン装置の動作を説明する。図７は、押しボタン３の爪部３ｃ，３ｄの対向側を押し込んだときの様子を示す断面図である。図７に示すように、押しボタン３の爪部３ｃ，３ｄから離れた爪部対向側（正面視状態で、爪部３ｃ，３ｄから所定方向（ガス警報器の角側方向であって、鉤形状となる爪部３ｃ，３ｄの鉤部分が突出する方向と反対方向）に所定距離以上離れた箇所の一例）を押し込んだとする。この場合、爪部３ｄ（３ｃ）は押し下げられることなく、爪部３ｄ（３ｃ）が支点Ｆｕとなって回動する。これにより、爪部対向側が押し下げられ、棒状部材３ｅを通じてレバー部材１２も押し下げられてスイッチ６が操作される。
【００３５】
図８は、押しボタン３の爪部３ｃ，３ｄ側を押し込んだときの様子を示す断面図である。これに対して、図８に示すように、押しボタン３の爪部３ｃ，３ｄ上（正面視状態で爪部３ｃ，３ｄから所定距離以内の箇所であって、二等辺三角形の長辺側）を押し込んだとする。ここで、本実施形態では側壁３ｂと中板１６との間に空隙Ｖ（図５参照）を有することから、爪部３ｄ（３ｃ）が引っ掛け部１４ｂ（１４ａ）から離間するように押し下げられることとなる。すなわち爪部３ｄ（３ｃ）による引っ掛けが解除されるように爪部３ｄ（３ｃ）ごと押し込まれることとなる。この結果、棒状部材３ｅを通じてレバー部材１２も押し下げられてスイッチ６が操作される。
【００３６】
このように、本実施形態において押しボタン３は、爪部３ｃ，３ｄの対向側が押し込まれると爪部３ｃ，３ｄが支点Ｆｕとなって回動すると共に、爪部３ｃ，３ｄ側が押し込まれると爪部３ｃ，３ｄごと押し下げられる支点可動構造となっている。
【００３７】
このため、爪部３ｃ，３ｄ側と爪部３ｃ，３ｄの対向側との双方において同様の操作性を得ることができるだけでなく、爪部３ｃ，３ｄ側と爪部３ｃ，３ｄの対向側との中間部においても同様の操作性を得ることができる。よって、爪部３ｃ，３ｄから対向側まで連続して一定以上の操作性を得ることができ、よりスイッチ操作をし易く操作性を向上させ易くする構造となっている。
【００３８】
ここで、特許文献２においては長方形状の押しボタンの中央側において良好な操作性を得ることができる。しかし、この押しボタンの中央から例えば長方形の長辺側にズレた位置においては操作性が低下してしまう。
【００３９】
これに対して、本実施形態では爪部３ｃ，３ｄからその対向側に亘って、どの箇所においても一定以上の操作性を得ることができ、より一層操作性の向上が図られていることとなる。
【００４０】
図９は、図３に示した押しボタン３とスイッチ６との関係を模式的に示す概略図である。図９に示すように、２つの爪部３ｃ，３ｄは偏平方向に一列に並んでいる。また、図５及び図６に示したように、レバー部材１２によって押しボタン３が配線板ＷＢ側から支持されている。また、２つの爪部３ｃ，３ｄは第１及び第２引っ掛け部１４ａ，１４ｂに引っ掛かった状態となっている。
【００４１】
図１０は、図３に示した押しボタン３とスイッチ６との関係を模式的に示す概略図であり、第１爪部３ｃ付近が押下されたときの状態を示している。図１０に示すように、２つの爪部３ｃ，３ｄのうち第１爪部３ｃ（特定の爪部）の付近が押し込まれたとする。この場合、２つの爪部３ｃ，３ｄのうち残りの爪部である第２爪部３ｄを支点Ｆｕとし、第１爪部３ｃが回動するように押し込まれる。すなわち、第２爪部３ｄが第２引っ掛け部１４ｂに引っ掛かったままの状態となることから第２爪部３ｄが支点Ｆｕとなり、第１爪部３ｃが回動するように押し込まれることとなる。以上により、スイッチ６が操作される。
【００４２】
なお、図示を省略するが、２つの爪部３ｃ，３ｄのうち第２爪部３ｄ（特定の爪部）の付近が押し込まれた場合も同様に、第１爪部３ｃが支点Ｆｕとなり、第２爪部３ｄが回動するように押し込まれることとなる。
【００４３】
このため、本実施形態では２つ爪部３ｃ，３ｄが並ぶ方向においても一定以上の操作性を得ることができる。すなわち、第１爪部３ｃ付近を押下しても、第２爪部３ｄ付近を押下しても、一定以上の操作性を得ることができ、且つ、その中間部においては押しボタン３の全体が押し込まれるように動くため、爪部３ｃ，３ｄが並ぶ方向において、どの箇所を操作したとしても一定以上の操作性を得ることができる。
【００４４】
このようにして、第１実施形態に係る押しボタン装置１を備えるガス警報器によれば、押しボタン３は、支点可動構造となっているため、爪部３ｃ，３ｄ上及び爪部３ｃ，３ｄから所定方向に所定距離以上離れた箇所の双方において同様の操作性を得ることができる。また、双方において同様の操作性を得ることができることから、その中間部においても同様の操作性を得ることができる。よって、爪部３ｃ，３ｄ上及び所定方向に所定距離以上離れた箇所まで連続して一定以上の操作性を得ることができ、よりスイッチ操作をし易く操作性を向上させることができる。
【００４５】
また、押しボタン３は、その一側に一列に並ぶ２つの爪部３ｃ，３ｄを有し、一方の爪部３ｃ，３ｄ上が押し込まれた場合に残りの爪部３ｃ，３ｄを支点Ｆｕとし一方の爪部３ｃ，３ｄが回動するように押し込まれてスイッチ６を操作する。このため、２つの爪部３ｃ，３ｄが並ぶ方向においても一定以上の操作性を得ることができ、より一層スイッチ操作をし易く操作性を向上させることができる。
【００４６】
次に、本発明の第２実施形態を説明する。第２実施形態に係る押しボタン装置は、第１実施形態のものと同様であるが、一部構成が異なっている。以下、第１実施形態との相違点を説明する。
【００４７】
図１１は、第２実施形態に係る押しボタン装置１を含むガス警報器の正面図である。図１１に示すように、第２実施形態に係るガス警報器は正面視で略四角形状となっており、略四角形状のガス警報器の下部に押しボタン装置１が設けられている。すなわち、第２実施形態においてはガス警報器の下部にガス警報器と略同じ幅を有する略四角形状の開口部１０（図１２参照）が形成され、この開口部１０に横長形状となる押しボタン３が搭載される構成となっている。
【００４８】
図１２は、第２実施形態に係る開口部１０の拡大正面図であって、押しボタン３を取り外したときの様子を示している。また、図１３は、図１２に示したＤ−Ｄ断面図であり、図１４は、図１２に示したガス警報器のＥ−Ｅ断面図である。なお、図１３及び図１４においては、押しボタン３が開口部１０に搭載されているときの断面を示している。
【００４９】
図１２〜図１４に示すように、開口部１０には、レバー部材１２と第１及び第２引っ掛け部１４ａ，１４ｂとが形成されている。レバー部材１２は、上ケース２ａと一体に形成されて押しボタン３をスイッチ６の搭載側（ガス警報器における後方側）から支持するものである。
【００５０】
より詳細に説明すると、略四角形状の開口部１０には中板１６が形成されている。中板１６は中央部に長方形状の開口が形成されている。レバー部材１２は、長方形状の開口内に収まるように形成され、開口のうちの上辺側からガス警報器の下方向に延びる２つの基部１２ａと、基部１２ａの先端に設けられる四角板からなる先端部１２ｂとから構成されている。また、レバー部材１２は、基部１２ａと先端部１２ｂとの境界付近において、作用点となる２つの凸部１２ｃが形成されている。２つの凸部１２ｃは、ガス警報器の正面側に向かって突出した形状となっている。なお、中板１６は、その剛性を確保するために正面視して略Ｕ字状（開放側が下向きとなるＵ字状）となるリブ１８を備えている。
【００５１】
スイッチ６は、レバー部材１２の先端部１２ｂよりもガス警報器の後方側（配線板ＷＢ側）に位置している。具体的にスイッチ６は、正面視して先端部１２ｂの中央部かつガス警報器の下方側端部付近となるレバー部材１２の裏面側に設けられている。なお、第２実施形態においてはＬＥＤ８の図示を省略する。
【００５２】
第１及び第２引っ掛け部１４ａ，１４ｂは、中板１６に形成された長方形状の開口から幅方向それぞれに離間して形成される開口である。すなわち、第１及び第２引っ掛け部１４ａ，１４ｂは、長方形状の開口を挟んで対向して配置されている。
【００５３】
第２実施形態に係る押しボタン３は、天板３ａと、側壁３ｂと、２つの爪部（複数の爪部の一例）３ｃ，３ｄとを備えている。２つの爪部３ｃ，３ｄは天板３ａから裏面側に向かって突出して形成されており、先端側が偏平鉤型構造となっている。
【００５４】
これら２つの爪部３ｃ，３ｄは、図１２及び図１４に示した第１及び第２引っ掛け部１４ａ，１４ｂに嵌り込む構造となっている。このため、２つの爪部３ｃ，３ｄについても第１及び第２引っ掛け部１４ａ，１４ｂと同様に中板１６の開口を挟んで対向して配置されることとなる。特に、２つの爪部３ｃ，３ｄは鉤型となる爪部３ｃ，３ｄの鉤突出方向が向かい合うようになっている。押しボタン３は、鉤型となる２つの爪部３ｃ，３ｄが第１及び第２引っ掛け部１４ａ，１４ｂに嵌り込むことで上ケース２ａに引っ掛けられる。
【００５５】
さらに、押しボタン３は、開口部１０への装着時において２つの凸部１２ｃ上に載置状態となる肉厚部３ｆを、天板３ａの裏面側に有している。
【００５６】
図１３に示すように、押しボタン３はレバー部材１２に支持された状態で２つの爪部３ｃ，３ｄが第１及び第２引っ掛け部１４ａ，１４ｂに引っ掛かった状態となっているが、ガス警報器上方側の側壁３ｂ１は中板１６に当接しておらず、空隙Ｖを有した状態となっている。なお、他の方向の側壁３ｂについては、開口部１０（上ケース２ａ）の外側に位置するようになっている。
【００５７】
次に、本実施形態に係る押しボタン装置の動作を説明する。図１５は、第２実施形態に係る押しボタン３の爪部３ｃ，３ｄのうちの一方側の爪部３ｃ上を押し込んだときの様子を示す断面図である。図１５に示すように、例えば第１爪部３ｃ上（すなわち第２爪部３ｄから所定方向（第２爪部３ｄの鉤突出方向）に所定距離以上離れた箇所）を押し込んだとする。この場合、第２爪部３ｄは押し下げられることなく、第２爪部３ｄが支点Ｆｕとなって回動する。一方、ガス警報器上方側の側壁３ｂ１と中板１６との間に空隙Ｖ（図１３参照）を有し、他の側壁３ｂは上ケース２ａの外側に位置することから、第１爪部３ｃは第１引っ掛け部１４ａから離間するように押し下げられることとなる。
【００５８】
すなわち第１爪部３ｃによる引っ掛けが解除されるように第１爪部３ｃごと押し込まれることとなる。この結果、肉厚部３ｆを通じてレバー部材１２も押し下げられてスイッチ６が操作される。なお、図１５は、第１爪部３ｃ上が押し込まれた例を説明したが、第２爪部３ｄ上が押し込まれた場合も同様である。すなわち、第１爪部３ｃが支点Ｆｕとなり、第２爪部３ｄによる引っ掛けが解除されるように第２爪部３ｄごと押し込まれることとなる。
【００５９】
このように、第２実施形態においても押しボタン３は支点可動構造となっている。このため、第１爪部３ｃ側と第２爪部３ｄ側との双方において同様の操作性を得ることができる。
【００６０】
図１６は、第２実施形態に係る押しボタン３の爪部３ｃ，３ｄのうちの中間部を押し込んだときの様子を示す断面図である。図１６に示すように、例えば第１及び第２爪部３ｃ，３ｄの中間部（双方の爪部３ｃ，３ｄから所定距離以内の箇所）を押し込んだとする。この場合、第１及び第２爪部３ｃ，３ｄは支点Ｆｕとならず、共に引っ掛け部１４ａ，１４ｂから離間するように押し下げられることとなる。
【００６１】
すなわち双方の爪部３ｃ，３ｄによる引っ掛けが解除されるように爪部３ｃ，３ｄごと押し込まれることとなる。この結果、肉厚部３ｆを通じてレバー部材１２も押し下げられてスイッチ６が操作される。よって、中間部においても同様の操作性を得ることができる。以上より、第１爪部３ｃ上から中間部を経て第２爪部３ｄ上まで連続して一定以上の操作性を得ることができ、よりスイッチ操作をし易く操作性を向上させる構造となっている。
【００６２】
このようにして、第２実施形態に係る押しボタン装置１によれば、第１実施形態と同様に、よりスイッチ操作をし易く操作性を向上させることができる。
【００６３】
さらに、第２実施形態によれば、対向して配置される複数の爪部３ｃ，３ｄの一方側の爪部３ｃ（３ｄ）上が押し込まれると、他方側の爪部３ｄ（３ｃ）が支点Ｆｕとなって一方側の爪部３ｃ（３ｄ）が回動するように押し込まれるため、対向配置される複数の爪部３ｃ，３ｄが並ぶ方向において一定以上の操作性を得ることができ、スイッチ操作をし易く操作性を向上させることができる。
【００６４】
次に、本発明の第３実施形態を説明する。第３実施形態に係る押しボタン装置は、第２実施形態のものと同様であるが、一部構成が異なっている。以下、第２実施形態との相違点を説明する。
【００６５】
図１７は、第３実施形態に係る押しボタン装置１を含むガス警報器の正面図である。図１７に示すように、第３実施形態に係るガス警報器は正面視で略円形状となっており、略円形状のガス警報器の下部において円弧状に押しボタン装置１が設けられている。すなわち、第３実施形態においてはガス警報器の下部に円弧形状を有する開口部１０（図１８参照）が形成され、この開口部１０に円弧形状となる押しボタン３が嵌め込まれて搭載される構成となっている。
【００６６】
図１８は、第３実施形態に係る開口部１０の拡大正面図であって、押しボタン３を取り外したときの様子を示している。図１９は、図１８に示したＦ−Ｆ断面図である。なお、図１９においては、押しボタン３が開口部１０に搭載されているときの断面を示している。
【００６７】
図１８及び図１９に示すように、開口部１０には、レバー部材１２と第１及び第２引っ掛け部１４ａ，１４ｂとが形成されている。第３実施形態に係るレバー部材１２は、配線板ＷＢから立ち上がるように断面略Ｌ字形状に形成されて押しボタン３をスイッチ６の搭載側（ガス警報器における後方側）から支持するものである。
【００６８】
より詳細に説明すると、略円弧形状の開口部１０には中板１６が形成されている。中板１６は中央部に略長方形状の開口が形成されている。開口の下側には開口に接してリブ１８が形成されている。レバー部材１２は、長方形状の開口内に収まるように配置されている。スイッチ６は、レバー部材１２の先端付近の配線板ＷＢ上に位置している。また、レバー部材１２の中間部は、押しボタン３の棒状部材３ｅの接触部となっている。第１及び第２引っ掛け部１４ａ，１４ｂは、中板１６のうち開口部１０の両側部に形成されており、レバー部材１２を挟んで対向して配置されている。なお、第３実施形態においてはＬＥＤ８の図示を省略する。
【００６９】
図２０は、図１７に示した押しボタン３の斜視図である。第３実施形態に係る押しボタン３は、天板３ａと、側壁３ｂと、２つの爪部（複数の爪部の一例）３ｃ，３ｄとを備えている（図２０においては１つの爪部３ｃのみを図示するものとする）。天板３ａは、断面円弧状に形成されている。側壁３ｂは、天板３ａの両端部に２つ、及び、これら２つの側壁３ｂを接続すると共に天板３ａの背後側となる１つの計３つで構成されている。２つの爪部３ｃ，３ｄは、天板３ａの両端部に設けられる２つの側壁３ｂそれぞれの先端（ガス警報器において後方側）から突出して形成されており、偏平鉤型構造となっている。
【００７０】
これら２つの爪部３ｃ，３ｄは、図１８及び図１９に示す第１及び第２引っ掛け部１４ａ，１４ｂに嵌り込む構造となっており、２つの爪部３ｃ，３ｄについても第１及び第２引っ掛け部１４ａ，１４ｂと同様にレバー部材１２を挟んで対向して配置されることとなる。特に、２つの爪部３ｃ，３ｄは鉤型となる爪部３ｃ，３ｄの鉤突出方向が互いに反対側となって背中合わせ状態となっている。押しボタン３は、鉤型となる２つの爪部３ｃ，３ｄが第１及び第２引っ掛け部１４ａ，１４ｂに嵌り込むことで上ケース２ａに引っ掛けられる。
【００７１】
図２１は、図１８に示したＧ−Ｇ断面図である。なお、図２１においては、押しボタン３が開口部１０に搭載されているときの断面を示している。図２１に示すように、２つの爪部３ｃ，３ｄが第１及び第２引っ掛け部１４ａ，１４ｂに引っ掛かった状態において天板３ａや側壁３ｂは中板１６に当接しておらず、空隙Ｖを有した状態となっている。
【００７２】
次に、本実施形態に係る押しボタン装置の動作を説明する。図２２は、第３実施形態に係る押しボタン３の爪部３ｃ，３ｄのうちの一方側の爪部３ｃ上を押し込んだときの様子を示す断面図である。図２２に示すように、例えば第１爪部３ｃ上（すなわち第２爪部３ｄから所定方向（第２爪部３ｄの鉤突出方向と反対方向）に所定距離以上離れた箇所）を押し込んだとする。この場合、第２爪部３ｄは押し下げられることなく、第２爪部３ｄが支点Ｆｕとなって回動する。一方、天板３ａ及び側壁３ｂと中板１６との間に空隙Ｖ（図２１参照）を有することから、第１爪部３ｃは第１引っ掛け部１４ａから離間するように押し下げられることとなる。
【００７３】
すなわち第１爪部３ｃによる引っ掛けが解除されるように第１爪部３ｃごと押し込まれることとなる。この結果、棒状部材３ｅを通じてレバー部材１２も押し下げられてスイッチ６が操作される。なお、図２２では、第１爪部３ｃ上が押し込まれた例を説明したが、第２爪部３ｄ上が押し込まれた場合も同様である。すなわち、第１爪部３ｃが支点Ｆｕとなり、第２爪部３ｄによる引っ掛けが解除されるように第２爪部３ｄごと押し込まれることとなる。
【００７４】
このように、第３実施形態においても押しボタン３は支点可動構造となっている。このため、第１爪部３ｃ側と第２爪部３ｄ側との双方において同様の操作性を得ることができる。
【００７５】
図２３は、第３実施形態に係る押しボタン３の爪部３ｃ，３ｄのうちの中間部を押し込んだときの様子を示す断面図である。図２３に示すように、例えば第１及び第２爪部３ｃ，３ｄの中間部（双方の爪部３ｃ，３ｄから所定距離以内の箇所）を押し込んだとする。この場合、第１及び第２爪部３ｃ，３ｄは支点Ｆｕとならず、共に引っ掛け部１４ａ，１４ｂから離間するように押し下げられることとなる。
【００７６】
すなわち双方の爪部３ｃ，３ｄによる引っ掛けが解除されるように爪部３ｃ，３ｄごと押し込まれることとなる。この結果、棒状部材３ｅを通じてレバー部材１２も押し下げられてスイッチ６が操作される。よって、中間部においても同様の操作性を得ることができる。以上より、第１爪部３ｃ上から中間部を経て第２爪部３ｄ上まで連続して一定以上の操作性を得ることができ、よりスイッチ操作をし易く操作性を向上させる構造となっている。
【００７７】
このようにして、第３実施形態に係る押しボタン装置１によれば、第２実施形態と同様に、よりスイッチ操作をし易く操作性を向上させることができる。
【００７８】
さらに、第３実施形態によれば、押しボタン３は、その一端部に一方側の爪部３ｃを有し他端部に他方側の爪部３ｄを有するため、例えば押しボタン３の側壁３ｂの先端に爪部３ｃ，３ｄを設けるなど、押しボタン３の天板３ａの真ん中付近から長尺の爪部を形成する必要がなく、構成の簡素化を図ることができることができる。
【００７９】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００８０】
例えば、上記実施形態において押しボタン３は天板３ａが略二等辺三角形、長方形、及び円弧形状であるが、これに限らず、円形などの他の形状であってもよい。
【００８１】
また、押しボタン３において爪部３ｃ，３ｄは２つであるが、３つ以上であってもよい。３つ以上の爪部を備えていても、図１０、図１５及び図２２に示すような回動によるスイッチ６の操作が可能な場合があるからである。
【００８２】
加えて、本実施形態に係る押しボタン装置１は、押しボタン３がＬＥＤ８のカバー部材としての機能も備えているが、これに限らず、ＬＥＤ８のカバー部材（特に拡散部材）としての機能を備えていなくともよい。
【００８３】
また、上記において所定距離とは、押しボタンの大きさ、爪部の個数や幅、及び爪部同士の離間距離等の種々の要因によって変化する値であることは言うまでもない。
【符号の説明】
【００８４】
１      ：押しボタン装置
２      ：筐体
２ａ    ：上ケース（カバー部材）
２ｂ    ：下ケース
３      ：押しボタン
３ａ    ：天板
３ｂ    ：側壁
３ｃ，３ｄ    ：爪部
３ｅ    ：棒状部材
３ｆ    ：肉厚部
４      ：正面カバー
６      ：スイッチ
８      ：ＬＥＤ
９      ：ガスセンサ
１０    ：開口部
１２    ：レバー部材
１２ａ  ：基部
１２ｂ  ：先端部
１２ｃ  ：凸部
１４ａ，１４ｂ  ：引っ掛け部
１６    ：中板
Ｆｕ    ：支点
Ｖ      ：空隙
ＷＢ    ：配線板
【図１】
2018092891.tif 000003
【図２】
2018092891.tif 000004
【図３】
2018092891.tif 000005
【図４】
2018092891.tif 000006
【図５】
2018092891.tif 000007
【図６】
2018092891.tif 000008
【図７】
2018092891.tif 000009
【図８】
2018092891.tif 000010
【図９】
2018092891.tif 000011
【図１０】
2018092891.tif 000012
【図１１】
2018092891.tif 000013
【図１２】
2018092891.tif 000014
【図１３】
2018092891.tif 000015
【図１４】
2018092891.tif 000016
【図１５】
2018092891.tif 000017
【図１６】
2018092891.tif 000018
【図１７】
2018092891.tif 000019
【図１８】
2018092891.tif 000020
【図１９】
2018092891.tif 000021
【図２０】
2018092891.tif 000022
【図２１】
2018092891.tif 000023
【図２２】
2018092891.tif 000024
【図２３】
2018092891.tif 000025